(57)【特許請求の範囲】
【請求項１】
海水または淡水中に配置される養魚用かご容器のための、または安全技術においてカバーとして自然の脅威の分野で進行を遅らせるために、または飛散防止のため、および／または同様の目的のために、または建築において、保護および安全の分野で使用される、ネットを製造する方法において、
螺旋状または同様に曲げられた個々の縦要素から製造されるメッシュ（１）で前記ネットが製作され、ワイヤ（２，３; ３，４; ４，５）など隣接する前記縦要素が混交されるものであって、
前記個々の縦要素が、連続的に曲げられて円筒状の螺旋形状または類似の形状が形成され、
そして、前記個々の縦要素が、隣接する個々の前記縦要素に曲げられ挿入され、
その後、前記縦要素の各々が、直線状のワイヤ区分（３'）が製造されるように個々に圧縮される、
ことを特徴とする、ネットを製造する方法。
【請求項２】
個々の縦要素が連続的に曲げられて円筒形状または類似の形状を形成し、ワイヤ（２，３；３，４；４，５）など隣接の縦要素が混交されるネットを製造することを特徴とするネットを製造する方法を実行するための装置であって、
螺旋状に曲げられたワイヤ（２，３）を製造するための装置部分と、螺旋状に曲げられた前記ワイヤ（２，３）を平らに押圧するための独立した曲げ加工装置（５０）とが設けられ、
前記曲げ加工装置（５０）が、前記螺旋ワイヤ（２，３）の縦延在方向に対して横方向に相対移動できるとともに、前記ワイヤをセンタリングする案内溝（５２’，５４'）を前面側にそれぞれ備える、列状に配設されたスタンプ（５２，５４）を有し、前記スタンプ（５２，５４）が、個々の螺旋の傾斜高（ｈ）に応じた距離だけ相互に離間して配設されて、前記スタンプの前記案内溝へ螺旋ワイヤが曲げられて挿入される把持位置から、前記螺旋ワイヤ（２，３）が圧縮される曲げ加工位置まで、所定量だけ持ち上げられることを特徴とする、装置。
【請求項３】
個々の螺旋により略直線状のワイヤ区分（３'）がそれぞれ製造されるとともに、前記ワイヤ区分から構成されるネットがマットレスのような構造を有するように、螺旋状に曲げられた前記ワイヤ（２，３）を前記曲げ加工装置（５０）が圧縮することを特徴とする、請求項２に記載の装置。
【請求項４】
前記螺旋ワイヤ（２，３）の前記圧縮の後で形成される前記曲げ部（３”）を持つ前記螺旋ワイヤの曲がりを移動時に戻すように配設された、前記螺旋ワイヤ（２，３）の前記縦延出方向に対して横方向に移動できる追加曲げ具（５５，５６）が設けられることを特徴とする、請求項１または２に記載の装置。
【発明の詳細な説明】
【技術分野】
【０００１】
本発明は、特に海水または淡水中に配置される養魚用かご容器のためのネットと、その製造方法および装置とに関連する。
【背景技術】
【０００２】
ネットで製作されたかご容器を養魚に使用することは、周知である（例えば、（日本）特許出願公開２００２−０４５０８４、国際公開第９６／１３９７３号パンフレットを参照）。プラスチック製のネットは、一般的に交点で結ばれ、一般的におよそ２〜８ｍｍのロープ直径を有し、およそ１０〜３０ｍｍの比較的小さいメッシュ開口部を有していなければならない。これに応じて「材料表面」が広くなることにより、藻、海草、コケ、イガイなどの動物および植物がこれらのメッシュに捕捉、保持され、蓄積する危険があり、こうして栄養分の流入および酸素の供給が不充分にしか行われないので、これはネットの透過性、そして養魚にもマイナスの影響を与える。
【０００３】
ＥＰ０９７９３２９Ｂは、螺旋コイルに曲げられた高強度の鋼製ワイヤから編組されて三次元構造を有する、岩石落下に対する保護のため、または地表層固定のための高強度のワイヤネット製品を開示している。螺旋状に曲げられたワイヤは、ワイヤネット製品のメッシュの形状およびサイズを決定する傾斜角度および長さを、二つの曲げ部の間に有する。
【０００４】
ワイヤが規定の傾斜角度でマンドレルへ供給されて、マンドレルの周りで例えばおよそ１８０°以上にわたって規定の長さで曲げられるという方法によってワイヤ材料が製造されるが、ワイヤは、規定の長さにわたって何回も縦軸上でマンドレルに供給されなければならず、それぞれマンドレルの周りで曲げられなければならない。この目的に必要な方法および装置は、比較的複雑であり、それに応じて高い費用がかかる。
【先行技術文献】
【特許文献】
【０００５】
【特許文献３】ＥＰ０９７９３２９Ｂ
【発明の概要】
【発明が解決しようとする課題】
【０００６】
本発明の根底にある目的は、最初に明記された種類のネットを提供することと、ネットの汚れおよび詰まりの危険を低下させることのできるネットを低費用で製造する方法を提案することである。
【課題を解決するための手段】
【０００７】
請求項１の特徴を有するネットにより、そして請求項９に記載の方法により、本発明においてこの目的が達成される。
【０００８】
例えば建築などの他の用途を含む、本発明によるネットおよび本発明による方法のさらに好適な形態は、従属請求項の主題を形成する。
【０００９】
円筒形の空間的螺旋を形成するように個々に螺旋状に曲げられた金属縦要素から製造されて隣接の螺旋が一緒に編組されるワイヤ材料製の本発明のネットは、単純で経済的に製造できる。特にワイヤとして設けられる縦要素が連続的に曲げられて円筒形の空間的螺旋を形成する。数本のワイヤまたは螺旋が製造されるのと同時に、一緒に編組されると好都合である。
【００１０】
ステンレス鋼または耐食性の鋼で製作されることが好ましいワイヤ材料には、藻、海草、コケ、イガイのなどの種類の動物および／または植物による汚れ、詰まり、蓄積が、従来のプラスチックネットまたは対応のコーティングが施されていない別の材料で製作されたネットよりも実質的に少ない。
【００１１】
これに関して、銅コーティング鋼で製作されたワイヤの使用も、ワイヤ材料にとって特に好都合である。銅コーティングに代わって、別の銅合金および銅を含有するクラッドコーティングも適している。特殊な撥水プラスチックコーティングも、この詰まりおよび植物被覆を防止するのに適している。
【００１２】
この種のネットは、動的力および運動エネルギーの吸収も行い、安全技術では自然の脅威の分野での進行の遅延のため、飛散防止のため、さらに保護用途および保護装置のためにも使用される。
【発明の効果】
【００１３】
付随する重量削減により、およそ１０００Ｎ／ｍｍ2〜２８００Ｎ／ｍｍ2の呼び強度を持つ高強度ワイヤの好適な使用は、例えば大型かご容器のように著しい使用上の長所と材料および費用の節約とを可能にし、「材料表面」が狭くなることで、例えば藻、海草、コケ、イガイなどの水生動物および水生植物が付着しにくい表面が得られる。
【００１４】
以下、図面により本発明をさらに詳細に説明する。図面は以下を示す。
【図面の簡単な説明】
【００１５】
【図１】本発明により水中に配置されるネットかご容器の概略斜視図である。
【図２】本発明によるネットの一部の上面図である。
【図３】図２によるネットの一部の側面図である。
【図４】線形材料が平らに押圧された図２によるネットの一部の側面図である。
【図５】螺旋状に曲げられたワイヤを圧縮するための装置の一区分を示す斜視図である。
【発明を実施するための形態】
【００１６】
図１には、ここでは水中１６に配置されて特に養魚を目的とする概略図示のかご容器１０が示されている。かご容器１０はネット１１から形成され、装着手段１２，１３により海底１５に固定されることが好ましく、かご容器は水面へと上向きに延出している。水深、潮流、潮差、土壌の特徴に応じて、地面または陸地への別の種類の装着またその組合せによる浮遊型も存在する。
【００１７】
このかご容器１０はここでは矩形の形状であるが、異なる形状でもよいことは言うまでもない。かご容器は異なる形状で形成され、例えば円形、方形、多角形でもよい。ある用途では、底部および／または上部でかごが閉鎖されていても同様に好都合である。孵化段階に応じて、小型のかご容器が大型のかご容器の内側に配置されてもよく、異なるメッシュサイズを用意することも可能である。
【００１８】
図２および図３には、かご容器１０のためのネット１１の一部が図示されている。本発明によれば、ネットは、縦要素として螺旋状に曲げられた個々の金属ワイヤ２，３，４，５で構成されるメッシュ１の形である。本発明によれば、特定の長さに切断されたワイヤ２，３，４，５は円筒形状に連続的に曲げられ（特に図３を参照）、隣接のワイヤ２，３；３，４；４，５が一緒に編組される。数本のワイヤが同時に曲げられてから一緒に編組されると好都合である。
【００１９】
図２によれば、ワイヤ２，３，４，５は端部において相互にペアとして可撓性接続され、そのために、混交されたワイヤまたは螺旋の端部が曲げられ結び目にされて、ループ２’，３’，４’，５’を形成する。結び目が作られた端部は、特に、隣接のネットへの経済的な圧力ばめ接続を可能にする。個々の螺旋のワイヤ端部による様々な種類の端部ループ接続（プレス接続などによる）が、結び目の代わりに使用されてもよい。
【００２０】
個々のワイヤ２，３，４，５の可撓性接続は、保管および運搬のためワイヤ材料１を丸めるか折り畳むことを可能にする。
【００２１】
ワイヤ２，３，４，５は、ステンレス鋼（例えばイノックス）、または例えば亜鉛／アルミニウムまたは銅合金などの適当なコーティングによるか被覆材（例えばプラスチックまたはクラッドコーティング）によって耐食性が達成される耐食性の鋼で製作されることが好ましい。異なるコーティング方法の組合せも可能である。そのため、本発明によるワイヤ材料製のネットは、例えば藻、海草、コケ、イガイなどの水生動物および植物による汚れ、蓄積、また詰まりを、従来のプラスチック製のネットよりも実質的に受けにくい。これに関して、ワイヤ材料１のための銅コーティング鋼で製作されたワイヤの使用が、特に好都合である。
【００２２】
単純なワイヤの代わりに、ロープ、ひも、類似の材料がネットの製造に使用されてもよい。ロープおよびひもを使用する時には、ロープまたはひも構造のストランドのすべてが、１０００Ｎ／ｍｍ2からおよそ２８００Ｎ／ｍｍ2の呼び強度を持つ高強度ワイヤで製作される必要はない。
【００２３】
図２および３に示された実施形態では、ワイヤ材料１の厚さは円筒形状の直径によって規定される。ネット１１は、比較的大きな伸びと広がりとを可能にする。特に連続的なワイヤ供給によって、ネット製造時の生産量は高い。さらに、複数の螺旋が同時に製造および混交されることが可能であり、これは生産時間を何分の一にも短縮して、生産コストを大幅に削減する。
【００２４】
図４に見られる本発明によるネットの別の可能な実施形態では、円筒形の空間的螺旋に曲げられたワイヤ２２，２３，２４，２５から編組されたワイヤ材料２０がさらに処理され、例えば平らに押圧される。図２および図３による実施形態と比較して厚さが少なく平らであるがそれでも三次元形状であるこのネットにより、同じ面積に必要なワイヤが少なくなる。しかし、このネットで可能な伸びと広がりは少ないが、これは、用途の種類に応じて機械的または視覚的には本質的に好都合である。曲げ螺旋は平らに押圧された後で簡単に復元し、このプロセスがネットの面積全体にわたって段階的に実行されなければならない。曲げが戻るのに必要な空間に関連して、複数の螺旋を同時に製造する可能性が限定される。
【００２５】
図５には、螺旋状に曲げられたワイヤ２を平らに押圧するための曲げ加工装置５０の一区分の斜視図が提示されている。螺旋状に曲げられたワイヤを製造するための装置部分が詳細に示されることはない。螺旋状に曲げられたワイヤ２はここで、ほぼ円筒形状に再度製造される。
【００２６】
曲げ加工装置５０は、螺旋ワイヤ２の縦延在方向に対して横方向に相互に対して移動でき、ワイヤ２をセンタリングする案内溝５２’，５４’を正面側にそれぞれ備える、２列に配設されたスタンプ５２，５４を有する。制御可能な駆動装置により前後に押圧されるこれらのスタンプ５２，５４は、各螺旋に特定の長さを備える螺旋ワイヤ２の側面を包囲するように、２列になって相互に整合され、ワイヤ２の個々の螺旋の傾斜高ｈに応じた距離だけ相互に離間して配設されている。図示された把持位置では、螺旋ワイヤ２が曲げられてスタンプ５２，５４の案内溝５２’，５４’へ挿入されるように、一方の列のスタンプは他方から離間している。ワイヤ２が曲げられ挿入される際に、同時に、すでに圧縮されたワイヤ３へ通され、こうしてネットが製造されると好都合である。しかし、原則として、相互に離間するようにスタンプがさらに押圧されてから、予形成ワイヤ２が挿入される。この把持位置から始まり、少なくとも一方の列のスタンプ５２または５４が特定の距離だけ他のスタンプ５４または５２に対して動かされ、ここで、個々の螺旋によりすでに直線状のワイヤ区分３’がそれぞれ製造されるとともに、これにより構成されるネットがマットレスのような構造を持つように、螺旋ワイヤが圧縮される。
【００２７】
これらのスタンプ５２，５４の上下には、螺旋ワイヤ３の圧縮後に形成される曲げ部３”を備える螺旋ワイヤ３の曲がりを戻すように配設された、螺旋ストランド２，３の縦延在方向に対して横方向に移動できる追加曲げ具５５，５６が設けられている。これらのワイヤ２，３の最適形状がこうして得られる。また、螺旋ワイヤ２が圧縮中に上下に押し出されないように、曲げ具５５，５６は螺旋ワイヤ２の支持体としても機能する。
【００２８】
この曲げ装置５０により、本発明の枠組み内において、異なるサイズの螺旋ワイヤを可能にする合理的な製造が保証される。
【００２９】
ワイヤ材料の形であって、円筒形（または円筒体に類似した形状）の空間的螺旋を形成するように曲げられた個々の螺旋状（または螺旋に類似した形状）の金属ワイヤから製造され、隣接するワイヤまたは螺旋が混交される本発明によるネットは、単純で経済的な製造が可能である。ワイヤが連続的に曲げられて、円筒形の空間的螺旋となる。複数のワイヤまたは螺旋が製造され、同時に混交されると好都合である。
【００３０】
混交されたワイヤの少なくとも一部では、螺旋状に混交された２本のワイヤの連結領域に、実質的に直線状の縦補強要素が案内されることにより、菱形に形成されたメッシュが三角形のメッシュに分割される。
【００３１】
ワイヤの代わりに、例えばロープ、ひも、その組合せ、またはストリップ、パイプ、金属シートなど、他の縦要素が使用されてもよい。
【符号の説明】
【００３２】
１…メッシュ、２，３，４，５…金属ワイヤ、３’…ワイヤ区分、３”…曲げ部、１０…かご容器、１１…ネット、１２，１３…装着手段、１５…海底、１６…水中、２０…ワイヤ材料、２２，２３，２４，２５…ワイヤ、５０…曲げ加工装置、５２，５４…スタンプ、５２’，５４’…案内溝、５５，５６…曲げ具、ｈ…傾斜高。
【図１】
0005855941.tif 000002
【図２】
0005855941.tif 000003
【図３】
0005855941.tif 000004
【図４】
0005855941.tif 000005
【図５】
0005855941.tif 000006